【手続補正書】
【提出日】平成20年10月15日(2008.10.15)
【手続補正１】
【補正対象書類名】特許請求の範囲
【補正対象項目名】全文
【補正方法】変更
【補正の内容】
【特許請求の範囲】
【請求項１】
自動性スライドであり、
第一のスライド部材と、
前記第一のスライド部材にスライド可能に結合される第二のスライド部材であり、該スライドにおいて、前記第一のスライド部材が該第二のスライド部材に対してスライドする、第二のスライド部材と、
前記第二のスライド部材に結合される自動性メカニズムであり、該メカニズムが、
ハウジングと、
前記ハウジングに沿ってスライドするスライダと、
前記スライダに旋回可能に結合され前記ハウジングに沿ってスライドするアクチュエータであり、該アクチュエータが前記第一のスライド部材を動かすために前記第一のスライド部材と結合可能である、アクチュエータと、
前記スライダの動きを減衰させるダンパと、
前記ダンパを前記スライダに結合させるリンクと、
を含む、自動性メカニズムと、
を含む、自動性スライド。
【請求項２】
該自動性スライドにおいて、前記スライダ及びアクチュエータが前記ハウジングに沿って第一の位置と第二の位置との間で一緒にスライドする、請求項１に記載の自動性スライド。
【請求項３】
さらに、前記スライダ及び前記ハウジングに結合されるバネを含み、該自動性スライドにおいて、前記バネが前記スライダを前記第一の位置へ動かすための力を与える、請求項２に記載の自動性スライド。
【請求項４】
該自動性スライドにおいて、前記第一の位置にあるとき前記アクチュエータが第一のポジションにあり、かつ前記第二の位置にあるとき前記アクチュエータが第二のポジションへ旋回できる、請求項１ないし３のいずれか１項に記載の自動性スライド。
【請求項５】
該自動性スライドにおいて、前記スライダが傾斜面を含み、該自動性スライドにおいて、前記スライダが前記第一の位置へ向かって動くとき前記リンクが前記傾斜面に乗って前記ダンパに対して力を加える、請求項１ないし４のいずれか１項に記載の自動性スライド。
【請求項６】
該自動性スライドにおいて、前記アクチュエータが旋回部材及び前記旋回部材に結合されるリロードアームを含み、かつ該自動性スライドにおいて、前記旋回部材が旋回可能にスライダに結合され、前記スライダを旋回可能に前記アクチュエータに結合する、請求項１ないし５のいずれか１項に記載の自動性スライド。
【請求項７】
さらに、前記第一のスライド部材から伸びるセッタを含み、該自動性スライドにおいて、前記アクチュエータがスロットを含み、かつ該自動性スライドにおいて、前記セッタが前記スロットに受け入れられて、前記第一のスライド部材を前記アクチュエータに結合する、請求項１ないし６のいずれか１項に記載の自動性スライド。
【請求項８】
該自動性スライドにおいて、前記第一のスライド部材が前記第二のスライド部材に対して伸びるとき、前記セッタが前記スライダを前記第二の位置へ動かし、前記アクチュエータを前記第二のポジションへ旋回させ、該自動性スライドにおいて、前記アクチュエータが前記第二のポジションにあるとき、前記第一のスライド部材がさらに伸ばされると前記セッタが前記アクチュエータから離脱し、該自動性スライドにおいて、前記アクチュエータが前記第二のポジションにあるとき前記バネの力によって前記ハウジングの一部に押し付けられ、前記アクチュエータが前記ハウジングの前記部分によって前記第二のポジションに維持される、請求項７に記載の自動性スライド。
【請求項９】
該自動性スライドにおいて、前記第一のスライド部材を前記第二のスライド部材に対して縮めると、前記セッタが前記第二のポジションにある前記アクチュエータと結合して、前記アクチュエータを前記第一のポジションへ旋回させ、該自動性スライドにおいて、前記第二のポジションにあるとき前記バネの力が前記スライダと共に前記アクチュエータを前記第一の位置へスライドさせ、それによって、前記セッタ及び第一のスライド部材を前記第一のポジションへスライドさせる、請求項８に記載の自動性スライド。
【請求項１０】
該自動性スライドにおいて、前記スライダが前記第二の位置にありかつ前記第一のスライド部材が前記第二のスライド部材に対して縮められると前記リロードアームが前記セッタによって押されて、屈曲し、前記セッタが前記アクチュエータのスロット内に受け入れられるようにする、請求項７、８又は９のいずれか１項に記載の自動性スライド。
【請求項１１】
該自動性スライドにおいて、前記ハウジングが第一の溝及び第二の溝を含み、前記第二の溝が第一の部分及び前記第一の部分から横に伸びる第二の部分を有し、該自動性スライドにおいて、前記スライダが突起を含み、前記スライダの突起が前記第一の溝に沿って前記スライダを案内し、かつ該自動性スライドにおいて、前記アクチュエータが突起を含み、前記アクチュエータの突起が前記第二の溝に沿って前記アクチュエータを案内し、該自動性スライドにおいて、前記アクチュエータが前記第二のポジションにあるとき、前記アクチュエータの突起が前記第二の溝の前記第二の部分にあり、前記バネの力によって前記第二の溝の前記第二の部分に押し付けられて、前記アクチュエータを前記第二の溝の前記第二の部分に保持する、請求項４に記載に自動性スライド。
【請求項１２】
該自動性スライドにおいて、前記アクチュエータが前記第一のスライド部材によって圧縮可能な圧縮性部分を含み、該自動性スライドにおいて、前記アクチュエータが前記圧縮性部分に隣接するスロットを含み、該自動性スライドにおいて、前記第一のスライド部材が前記第一のスライド部材を前記アクチュエータと結合するために前記スロット内部に受け入れられる部分を含む、請求項１に記載の自動性スライド。
【請求項１３】
自動性スライドであり、
第一のスライド部材と、
前記第一のスライド部材にスライド可能に結合される第二のスライド部材であり、該スライドにおいて、前記第一のスライド部材が該第二のスライド部材に対してスライドする、第二のスライド部材と、
前記第二のスライド部材に結合される自動性メカニズムであり、該メカニズムが、
ハウジングと、
前記ハウジングに沿ってスライドするスライダと、
前記スライダに旋回可能に結合され前記ハウジングに沿ってスライドするアクチュエータであり、該アクチュエータが前記第一のスライド部材を動かすために前記第一のスライド部材と結合可能である、アクチュエータと、
前記スライダの動きを減衰させるダンパと、
前記スライダ及び前記ハウジングに結合されるバネと、を含み、
該メカニズムにおいて、前記スライダ及びアクチュエータが前記ハウジングに沿って第一の位置と第二の位置との間で一緒にスライドし、該メカニズムにおいて、前記バネが前記スライダを前記第一の位置へ動かすための力を与え、該メカニズムにおいて、前記第一の位置にあるとき前記アクチュエータが第一のポジションにあり、かつ前記第二の位置にあるとき前記アクチュエータが第二のポジションへ旋回でき、該メカニズムにおいて、前記ハウジングが第一の溝及び第二の溝を含み、前記第二の溝が第一の部分及び前記第一の部分から横に伸びる第二の部分を有し、該自動性スライドにおいて、前記スライダが突起を含み、前記スライダの突起が前記第一の溝に沿って前記スライダを案内し、かつ該自動性スライドにおいて、前記アクチュエータが突起を含み、前記アクチュエータの突起が前記第二の溝に沿って前記アクチュエータを案内し、該自動性スライドにおいて、前記アクチュエータが前記第二のポジションにあるとき、前記アクチュエータの突起が前記第二の溝の前記第二の部分にあり、前記バネの力によって前記第二の溝の前記第二の部分に押し付けられて、前記アクチュエータを前記第二の溝の前記第二の部分に保持する自動性メカニズムと、
を含む、自動性スライド。
【請求項１４】
自動性スライドであり、
第一のスライド部材と、
前記第一のスライド部材にスライド可能に結合される第二のスライド部材であり、該スライドにおいて、前記第一のスライド部材が該第二のスライド部材に対してスライドする、第二のスライド部材と、
前記第二のスライド部材に結合される自動性メカニズムであり、該メカニズムが、
ハウジングと、
前記ハウジングに沿ってスライドするスライダであって、該スライダが傾斜面を含むスライダと、
前記スライダに旋回可能に結合され前記ハウジングに沿ってスライドするアクチュエータであり、該アクチュエータが前記第一のスライド部材を動かすために前記第一のスライド部材と結合可能である、アクチュエータと、
前記スライダの動きを減衰させるために前記スライダの傾斜面により機能させられるダンパと、
を含む、自動性メカニズムと、
を含む、自動性スライド。
【請求項１５】
自動性スライドであり、
第一のスライド部材と、
前記第一のスライド部材にスライド可能に結合される第二のスライド部材であり、該スライドにおいて、前記第一のスライド部材が該第二のスライド部材に対してスライドする、第二のスライド部材と、
前記第二のスライド部材に結合される自動性メカニズムであり、該メカニズムが、
前記第二のスライド部材に対してスライド可能なスライド部材であり、該スライド部材が前記第一のスライド部材を動かすために前記第一のスライド部材と結合可能である、スライド部材と、
該スライド部材の動きを減衰させるためのダンパと、
該ダンパを前記スライド部材に結合させるリンクであり、前記スライド部材が前記リンクに対して並進的にスライド可能であるリンクと、
を含む、自動性メカニズムと、
を含む、自動性スライド。
【請求項１６】
自動性スライドであり、
第一のスライド部材と、
前記第一のスライド部材にスライド可能に結合される第二のスライド部材であり、該スライドにおいて、前記第一のスライド部材が該第二のスライド部材に対してスライドする、第二のスライド部材と、
前記第二のスライド部材に結合される自動性メカニズムであり、該メカニズムが、
前記第二のスライド部材に対してスライド可能なスライド部材であり、該スライド部材が傾斜面を含み、該スライド部材が前記第一のスライド部材を動かすために前記第一のスライド部材と結合可能である、スライド部材と、
該スライド部材の動きを減衰させるために前記スライド部材の傾斜面により機能させられるダンパであり、前記傾斜面が前記ダンパに対してスライド可能である、ダンパと、
を含む、自動性メカニズムと、
を含む、自動性スライド。